(57)【要約】  この鞍乗り型車両の整流構造では、車両側面視で後輪（ＷＲ）と少なくとも一部が重なる部材（４２，２６ａ，７５）に、走行風を受ける走行風受け面（６２ａ，７２ａ，８２ａ）を形成する整流構造（６１，７１，８１）を備え、前記整流構造（６１，７１，８１）は、前記走行風受け面（６２ａ，７２ａ，８２ａ）に沿って流れる走行風を予め定めた方向に案内する。
2020161938.tif 000002
【特許請求の範囲】
【請求項１】
車両側面視で後輪（ＷＲ）と少なくとも一部が重なる部材（４２，２６ａ，７５）に、走行風を受ける走行風受け面（６２ａ，７２ａ，８２ａ）を形成する整流構造（６１，７１，８１）を備え、前記整流構造（６１，７１，８１）は、前記走行風受け面（６２ａ，７２ａ，８２ａ）に沿って流れる走行風を予め定めた方向に案内する鞍乗り型車両の整流構造。
【請求項２】
前記後輪（ＷＲ）の側方に内燃機関（Ｅ）から排出された排気の消音を行う消音器（４２）を備え、
前記消音器（４２）は、車両前後方向に対して傾斜して延び、前記走行風受け面（６２ａ）を形成する傾斜部（６２）と、前記傾斜部（６２）に沿って延び、前記走行風受け面（６２ａ）から上方へ突出する突出部（６３）と、を備えて前記整流構造（６１）を構成している請求項１に記載の鞍乗り型車両の整流構造。
【請求項３】
前記消音器（４２）は、軸線（Ｃ１）に沿って延び、
前記消音器（４２）の上面部（５２）は、側面視で前記軸線（Ｃ１）に対して後上がりに傾斜する後ろ上がり傾斜部（５３）を備え、
前記後ろ上がり傾斜部（５３）は、前記傾斜部（６２）および突出部（６３）を備えて前記整流構造（６１）を構成している請求項２に記載の鞍乗り型車両の整流構造。
【請求項４】
前記後ろ上がり傾斜部（５３）の車幅方向内側の内側縁部（５３ｂ）には、前記整流構造（６１）における前記傾斜部（６２）から上方に屈曲して延びるリブ状の前記突出部（６３）が設けられている請求項３に記載の鞍乗り型車両の整流構造。
【請求項５】
前記後ろ上がり傾斜部（５３）の後方に連なり、側面視で前記軸線（Ｃ１）に対して後ろ下がりに傾斜する後ろ下がり傾斜部（５４）を備え、
前記整流構造（６１）は、前記後ろ下がり傾斜部（５４）を避けて前記後ろ上がり傾斜部（５３）に設けられている請求項３又は４に記載の鞍乗り型車両の整流構造。
【請求項６】
前記後ろ下がり傾斜部（５４）の車幅方向内側には、前記後ろ上がり傾斜部（５３）を避けて、内側庇部（５２ｂ）が面一状に突設されている請求項５に記載の鞍乗り型車両の整流構造。
【請求項７】
前記消音器（４２）は、消音器本体（４３）と、前記消音器本体（４３）に取り付けられるカバー部材（５１）と、を備え、
前記傾斜部（６２）および突出部（６３）は、前記消音器本体（４３）およびカバー部材（５１）の少なくとも一方に設けられている請求項２から６の何れか一項に記載の鞍乗り型車両の整流構造。
【請求項８】
前記鞍乗り型車両（１）は、前記内燃機関（Ｅ）と前記後輪（ＷＲ）とが車体フレーム（Ｆ）に対して一体的に揺動するスイングユニット（Ｕ）を備えている請求項２から７の何れか一項に記載の鞍乗り型車両の整流構造。
【請求項９】
前記内燃機関（Ｅ）への吸気を行う吸気系部品（２５）を備え、
前記吸気系部品（２５）は、最上流に位置する吸気口（２５ｃ）を備え、
前記消音器（４２）は、前記後輪（ＷＲ）の一側方に配置され、前記吸気口（２５ｃ）は、前記後輪（ＷＲ）の他側方に配置されている請求項２から８の何れか一項に記載の鞍乗り型車両の整流構造。
【請求項１０】
前記傾斜部（６２）および突出部（６３）は、車両側面視にて、後方に向かうにつれて上方に位置するように傾斜している請求項２から９の何れか一項に記載の鞍乗り型車両の整流構造。
【請求項１１】
前記傾斜部（６２）および突出部（６３）は、車両上面視にて、後方に向かうにつれて車幅方向内側に位置するように傾斜している請求項２から１０の何れか一項に記載の鞍乗り型車両の整流構造。
【請求項１２】
前記突出部（６３）は、前記傾斜部（６２）の車幅方向内側に向かうにつれて上方に位置するように形成されている請求項２から１１の何れか一項に記載の鞍乗り型車両の整流構造。
【請求項１３】
前記傾斜部（６２）および突出部（６３）は、円弧状の断面形状をなして延びている請求項２から１２の何れか一項に記載の鞍乗り型車両の整流構造。
【請求項１４】
前記鞍乗り型車両のパワーユニット（Ｕ）に取り付けられ、車両側面視で後輪（ＷＲ）と少なくとも一部が重なるカバー部材（２６ａ）を備え、
前記カバー部材（２６ａ）に、前記走行風受け面（７２ａ）を形成する整流構造（７１）を備えている請求項１に記載の鞍乗り型車両の整流構造。
【請求項１５】
前記整流構造（７１）は、前記カバー部材（２６ａ）における後上がりの傾斜縁に長手方向を沿わせるように延びる突条部（７２）を備えている請求項１４に記載の鞍乗り型車両の整流構造。
【請求項１６】
前記突条部（７２）は、長手方向と交差する断面視で三角形状の山形をなしている請求項１５に記載の鞍乗り型車両の整流構造。
【請求項１７】
車両側面視で後輪（ＷＲ）と少なくとも一部が重なるスタンド（７５）を備え、
前記スタンド（７５）に、前記走行風受け面（８２ａ）を形成する整流構造（８１）を備えている請求項１に記載の鞍乗り型車両の整流構造。
【請求項１８】
前記整流構造（８１）は、前記スタンド（７５）の支持脚（７５ｂｒ）に、前記支持脚（７５ｂｒ）の先端側ほど広がるテーパー部（８２）を備え、
前記テーパー部（８２）は、支持脚先端側の開放端（８２ｃ）を、接地プレート（７５ｄ）の車幅方向の外側端（７５ｄ１）と同等位置まで広げている請求項１７に記載の鞍乗り型車両の整流構造。
【請求項１９】
前記鞍乗り型車両のパワーユニット（Ｕ）に内燃機関（Ｅ）を備え、
前記整流構造（６１，７１，８１）に対して、車幅方向で前記後輪（ＷＲ）を挟んだ反対側には、前記内燃機関（Ｅ）に供給する外気をろ過するエアクリーナ（２５）の吸気口（２５ｃ）を備えている請求項１から１８の何れか一項に記載の鞍乗り型車両の整流構造。
【発明の詳細な説明】
【技術分野】
【０００１】
本発明は、鞍乗り型車両の整流構造に関する。
【背景技術】
【０００２】
例えば、特許文献１には、スクーターのユニットスイングエンジンにおいて、車体左右中心に後輪を配置し、この後輪を挟んだ左右両側にマフラーとエアクリーナとを振り分けて配置したものがある。マフラーとエアクリーナとの振り分け配置によって、スペースの有効利用と吸気温度上昇（排熱影響）の抑制とが図られる。
【先行技術文献】
【特許文献】
【０００３】
【特許文献１】特開２０１５−１１０３８１号公報
【発明の概要】
【発明が解決しようとする課題】
【０００４】
ところで、後輪の側方では、後輪の巻き上げた気流が車体両側に押し出されることで、乱流や負圧を発生させる。この乱流や負圧は、例えばエアクリーナの吸気量や、ホイールハウス内の水・泥跳ね等に影響し、ひいてはドライバビリティの向上に影響する虞がある。この影響を回避するために、後輪にいわゆるハガーフェンダーを設けてタイヤハウス内の気流を後方へ流しやすくすることが考えられるが、コストおよび重量を増加させてしまうという課題がある。【０００５】
そこで本発明は、簡単な構造で後輪周りに生じる乱流や負圧を抑えることができる鞍乗り型車両の整流構造を提供することを目的とする。
【課題を解決するための手段】
【０００６】
上記課題の解決手段として、本発明の第一の態様は、車両側面視で後輪（ＷＲ）と少なくとも一部が重なる部材（４２，２６ａ，７５）に、走行風を受ける走行風受け面（６２ａ，７２ａ，８２ａ）を形成する整流構造（６１，７１，８１）を備え、前記整流構造（６１，７１，８１）は、前記走行風受け面（６２ａ，７２ａ，８２ａ）に沿って流れる走行風を予め定めた方向に案内する。【０００７】
本発明の第二の態様は、上記第一の態様において、前記後輪（ＷＲ）の側方に内燃機関（Ｅ）から排出された排気の消音を行う消音器（４２）を備え、前記消音器（４２）は、車両前後方向に対して傾斜して延び、前記走行風受け面（６２ａ）を形成する傾斜部（６２）と、前記傾斜部（６２）に沿って延び、前記走行風受け面（６２ａ）から上方へ突出する突出部（６３）と、を備えて前記整流構造（６１）を構成している。【０００８】
本発明の第三の態様は、上記第二の態様において、前記消音器（４２）は、軸線（Ｃ１）に沿って延び、前記消音器（４２）の上面部（５２）は、側面視で前記軸線（Ｃ１）に対して後上がりに傾斜する後ろ上がり傾斜部（５３）を備え、前記後ろ上がり傾斜部（５３）は、前記傾斜部（６２）および突出部（６３）を備えて前記整流構造（６１）を構成している。【０００９】
本発明の第四の態様は、上記第三の態様において、前記後ろ上がり傾斜部（５３）の車幅方向内側の内側縁部（５３ｂ）には、前記整流構造（６１）における前記傾斜部（６２）から上方に屈曲して延びるリブ状の前記突出部（６３）が設けられている。【００１０】
本発明の第五の態様は、上記第三又は第四の態様において、前記後ろ上がり傾斜部（５３）の後方に連なり、側面視で前記軸線（Ｃ１）に対して後ろ下がりに傾斜する後ろ下がり傾斜部（５４）を備え、前記整流構造（６１）は、前記後ろ下がり傾斜部（５４）を避けて前記後ろ上がり傾斜部（５３）に設けられている。【００１１】
本発明の第六の態様は、上記第五の態様において、前記後ろ下がり傾斜部（５４）の車幅方向内側には、前記後ろ上がり傾斜部（５３）を避けて、内側庇部（５２ｂ）が面一状に突設されている。【００１２】
本発明の第七の態様は、上記第二から第六の態様の何れか一つにおいて、前記消音器（４２）は、消音器本体（４３）と、前記消音器本体（４３）に取り付けられるカバー部材（５１）と、を備え、前記傾斜部（６２）および突出部（６３）は、前記消音器本体（４３）およびカバー部材（５１）の少なくとも一方に設けられている。【００１３】
本発明の第八の態様は、上記第二から第七の態様の何れか一つにおいて、前記鞍乗り型車両（１）は、前記内燃機関（Ｅ）と前記後輪（ＷＲ）とが車体フレーム（Ｆ）に対して一体的に揺動するスイングユニット（Ｕ）を備えている。【００１４】
本発明の第九の態様は、上記第二から第八の態様の何れか一つにおいて、前記内燃機関（Ｅ）への吸気を行う吸気系部品（２５）を備え、前記吸気系部品（２５）は、最上流に位置する吸気口（２５ｃ）を備え、前記消音器（４２）は、前記後輪（ＷＲ）の一側方に配置され、前記吸気口（２５ｃ）は、前記後輪（ＷＲ）の他側方に配置されている。【００１５】
本発明の第十の態様は、上記第二から第九の態様の何れか一つにおいて、前記傾斜部（６２）および突出部（６３）は、車両側面視にて、後方に向かうにつれて上方に位置するように傾斜している。【００１６】
本発明の第十一の態様は、上記第二から第十の態様の何れか一つにおいて、前記傾斜部（６２）および突出部（６３）は、車両上面視にて、後方に向かうにつれて車幅方向内側に位置するように傾斜している。【００１７】
本発明の第十二の態様は、上記第二から第十一の態様の何れか一つにおいて、前記突出部（６３）は、前記傾斜部（６２）の車幅方向内側に向かうにつれて上方に位置するように形成されている。【００１８】
本発明の第十三の態様は、上記第二から第十二の態様の何れか一つにおいて、前記傾斜部（６２）および突出部（６３）は、円弧状の断面形状をなして延びている。【００１９】
本発明の第十四の態様は、上記第一の態様において、前記鞍乗り型車両のパワーユニット（Ｕ）に取り付けられ、車両側面視で後輪（ＷＲ）と少なくとも一部が重なるカバー部材（２６ａ）を備え、前記カバー部材（２６ａ）に、前記走行風受け面（７２ａ）を形成する整流構造（７１）を備えている。【００２０】
本発明の第十五の態様は、上記第十四の態様において、前記整流構造（７１）は、前記カバー部材（２６ａ）における後上がりの傾斜縁に長手方向を沿わせるように延びる突条部（７２）を備えている。【００２１】
本発明の第十六の態様は、上記第十五の態様において、前記突条部（７２）は、長手方向と交差する断面視で三角形状の山形をなしている。【００２２】
本発明の第十七の態様は、上記第一の態様において、車両側面視で後輪（ＷＲ）と少なくとも一部が重なるスタンド（７５）を備え、前記スタンド（７５）に、前記走行風受け面（８２ａ）を形成する整流構造（８１）を備えている。【００２３】
本発明の第十八の態様は、上記第十七の態様において、前記整流構造（８１）は、前記スタンド（７５）の支持脚（７５ｂｒ）に、前記支持脚（７５ｂｒ）の先端側ほど広がるテーパー部（８２）を備え、前記テーパー部（８２）は、支持脚先端側の開放端（８２ｃ）を、接地プレート（７５ｄ）の車幅方向の外側端（７５ｄ１）と同等位置まで広げている。【００２４】
本発明の第十九の態様は、上記第一から第十八の態様の何れか一つにおいて、前記鞍乗り型車両のパワーユニット（Ｕ）に内燃機関（Ｅ）を備え、前記整流構造（６１，７１，８１）に対して、車幅方向で前記後輪（ＷＲ）を挟んだ反対側には、前記内燃機関（Ｅ）に供給する外気をろ過するエアクリーナ（２５）の吸気口（２５ｃ）を備えている。
【発明の効果】
【００２５】
本発明の第一の態様によれば、整流構造の走行風受け面に沿って流れる走行風は、予め定めた方向に案内されて指向性をもって流れる。このように指向性をもった走行風を、例えば後輪の側方（タイヤハウスの側方）に流すことで、タイヤハウス内の空気を後輪側方へ引き出す等の効果を得る。このように、車両側面視で後輪と重なる部材に整流構造を設けて気流を制御することで、後輪周りに生じる乱流や負圧を抑えることができる。【００２６】
本発明の第二の態様によれば、消音器の傾斜部の走行風受け面に沿って流れる走行風は、突出部によって案内され、規定の方向へ指向性をもって流れる。このように指向性をもった走行風を、後輪の側方（タイヤハウスの側方）に流すことで、タイヤハウス内の空気を後輪側方へ引き出す効果を得る。タイヤハウス内の空気は、後輪に連れ回って流れることで乱流を生じさせるが、この乱流を後輪側方へ引き出すことで、後輪周りへの気流の影響を抑えることができる。【００２７】
本発明の第三の態様によれば、後ろ上がり傾斜部に整流構造を備えるので、走行風受け面を形成しやすくなる。走行風受け面に沿って流れる走行風は、突出部によって案内され、規定の方向へ指向性をもって流すことができる。【００２８】
本発明の第四の態様によれば、後ろ上がり傾斜部の内側縁部に、整流構造のリブ状の突出部を備えるので、走行風の車幅方向内側への広がりが抑えられる。これにより、走行風受け面に沿って流れる走行風を、車幅方向内側へ広がることを抑えた上で、規定の方向へ指向性をもって流すことができる。【００２９】
本発明の第五の態様によれば、前後の傾斜部の内の後ろ上がり傾斜部のみに整流構造を設けるので、整流構造を成形しやすくなる。整流構造を前後の傾斜部に渡って設けると、整流構造およびその周辺の形状が複雑になる。後ろ下がり傾斜部を避けて整流構造を設けることで、整流構造等の形状を簡単にして成形しやすくすることができる。【００３０】
本発明の第六の態様によれば、後ろ下がり傾斜部の車幅方向内側に面一状の内側庇部を設けるので、整流構造の後方で走行風が剥離し難くなる。走行風が整流構造の後方で車幅方向内側に広がると、この走行風が内側庇部に沿って流れやすくなる。内側庇部は後ろ上がり傾斜部を避けて設けられるので、内側庇部を成形しやすくなる。内側庇部を前後の傾斜部に渡って設けると、内側庇部およびその周辺の形状が複雑になる。後ろ上がり傾斜部を避けて内側庇部を設けることで、内側庇部等の形状を簡単にして成形しやすくすることができる。内側庇部は整流構造と前後方向で分離するので、この点でも内側庇部および整流構造等の形状を簡単にして成形しやすくすることができる。【００３１】
本発明の第七の態様によれば、マフラー本体およびマフラーカバーの少なくとも一方に傾斜部および突出部を設けるので、整流構造の設置自由度を高め、気流の制御を容易に行うことができる。【００３２】
本発明の第八の態様によれば、スイングユニットにはエアクリーナ等の各種補機類が搭載されるため、タイヤハウス内の乱流による影響が大きいが、この乱流を後輪側方へ引き出すことで、補機類への気流の影響を抑えることができる。【００３３】
本発明の第九の態様によれば、後輪を挟んで消音器と吸気口とを振り分けて配置することで、消音器の傾斜部および突出部によってタイヤハウス内の空気を後輪側方へ引き出す側が、吸気系部品の吸気口と反対側となる。タイヤハウス内の空気が後輪に連れ回って後輪側方へ押し出される側に吸気口があると、吸気系部品の吸気量に影響を与えることがある。これに対し、タイヤハウス内の空気を引き出す側が吸気口と反対側となるので、引き出される気流が吸気口に影響せず、かつ吸気口側に押し出される気流も減少する。これにより、吸気系部品の吸気効率を良好に維持することができる。また、吸気系部品の吸気への排気熱の影響を抑えることができる。【００３４】
本発明の第十の態様によれば、傾斜部および突出部に沿って走行風を上方に流すことで、タイヤハウス内の乱流を効果的に抑えることができる。すなわち、タイヤハウス内では上方側でリヤカウル等との間に巻き込み風が発生しやすいため、走行風を上方に向けて流すことで、タイヤハウス内の乱流を効果的に抑えることができる。【００３５】
本発明の第十一の態様によれば、タイヤハウス内では空気が後輪に連れ回ることで乱流となりやすいため、走行風を車幅方向内側（後輪側）に向けて流すことで、後輪周辺の空気を後輪側方へ引き出しやすくし、タイヤハウス内の乱流を効果的に抑えることができる。【００３６】
本発明の第十二の態様によれば、傾斜部の上方に起立する突出部が車幅方向内側ほど上方に位置するので、突出部に案内される走行風が規定の渦流を生じやすくなり、タイヤハウス内の乱流を効果的に抑えることができる。【００３７】
本発明の第十三の態様によれば、傾斜部および突出部が円弧状の断面形状をなしているので、突出部に案内される気流がより一層規定の渦流を生じやすくなり、タイヤハウス内の乱流をより効果的に抑えることができる。【００３８】
本発明の第十四の態様によれば、パワーユニット側方のカバー部材の整流構造の走行風受け面に沿って流れる走行風は、予め定めた方向に案内されて指向性をもって流れる。このように指向性をもった走行風を、例えば後輪の側方（タイヤハウスの側方）に流すことで、タイヤハウス内の空気を後輪側方へ引き出す等の効果を得る。このように、車両側面視で後輪と重なるカバー部材に整流構造を設けて気流を制御することで、後輪周りに生じる乱流や負圧を抑えることができる。【００３９】
本発明の第十五の態様によれば、カバー部材の傾斜縁に沿う突条部によって、指向性をもった走行風を形成しやすくすることができる。【００４０】
本発明の第十六の態様によれば、断面三角形状の突条部がもつ傾斜面によって気流制御をしやすくすることができる。【００４１】
本発明の第十七の態様によれば、スタンドの整流構造の走行風受け面に沿って流れる走行風は、予め定めた方向に案内されて指向性をもって流れる。このように指向性をもった走行風を、例えば後輪の側方（タイヤハウスの側方）に流すことで、タイヤハウス内の空気を後輪側方へ引き出す等の効果を得る。このように、車両側面視で後輪と重なるスタンドに整流構造を設けて気流を制御することで、後輪周りに生じる乱流や負圧を抑えることができる。【００４２】
本発明の第十八の態様によれば、整流構造におけるテーパー部の開放端が接地プレートの車幅方向外側端と同等位置まで広がるので、テーパー部の傾斜に案内された走行風を接地プレートとの干渉を抑えて流すことができる。【００４３】
本発明の第十九の態様によれば、整流構造によって走行風の気流を制御することで、整流構造を設けた側ではタイヤハウス内の空気を後輪側方へ引き出す効果が得られる。これに対し、走行風を引き出す側と反対側に吸気口があることで、エアクリーナの吸気への影響を抑えることができる。
【図面の簡単な説明】
【００４４】
【図１】本発明の実施形態における自動二輪車の右側面図である。
【図２】上記自動二輪車のマフラー周辺の右側面図である。
【図３】上記自動二輪車の後輪周辺の上面図である。
【図４】上記自動二輪車のマフラー周辺の斜視図である。
【図５】上記自動二輪車のマフラーおよび排気管の右側面図である。
【図６】上記自動二輪車のマフラーおよび排気管の上面図である。
【図７】上記自動二輪車のマフラーおよび排気管の前面図である。
【図８】図５のＶＩＩＩ−ＶＩＩＩ断面図である。
【図９】図８の整流構造部分の断面図であり、（ａ）、（ｂ）は比較例、（ｃ）は実施形態を示す。
【図１０】図４に相当する作用説明図である。
【図１１】図３に相当する作用説明図である。
【図１２】本発明の第二実施形態の図２に相当する右側面図である。
【図１３】第二実施形態のラジエータカバーの右側面図である。
【図１４】第二実施形態のラジエータカバーのＸＩＶ矢視図である。
【図１５】図１３のＸＶ−ＸＶ断面図である。
【図１６】第二実施形態のラジエータカバーの斜視図である。
【図１７】第二実施形態のメインスタンドの平面図である。
【図１８】第二実施形態のメインスタンドの右側面図である。
【図１９】第二実施形態の図１０に相当する作用説明図である。
【図２０】第二実施形態の図３に相当する作用説明図である。
【図２１】第二実施形態の図１３に相当する作用説明図である。
【図２２】上記マフラーの整流構造の作用を示す第一作用説明図であり、（ａ）は本実施形態、（ｂ）は比較例をそれぞれ示す。
【図２３】上記マフラーの整流構造の作用を示す第二作用説明図であり、（ａ）は本実施形態、（ｂ）は比較例をそれぞれ示す。
【図２４】上記マフラーの整流構造の作用を示す第三作用説明図であり、（ａ）は本実施形態、（ｂ）は比較例をそれぞれ示す。
【図２５】上記マフラーの整流構造の流体解析結果を示す図２２に相当する作用説明図であり、（ａ）は本実施形態、（ｂ）は比較例をそれぞれ示す。
【図２６】上記マフラーの整流構造の流体解析結果を示す図２４に相当する作用説明図であり、（ａ）は本実施形態、（ｂ）は比較例をそれぞれ示す。
【図２７】上記ラジエータカバーの整流構造の流体解析結果を車両前後方向と直交する断面で示す第一作用説明図であり、（ａ）は本実施形態、（ｂ）は比較例をそれぞれ示す。
【図２８】上記ラジエータカバーの整流構造の流体解析結果を車両前後方向と直交する断面で示す第二作用説明図であり、（ａ）は本実施形態、（ｂ）は比較例をそれぞれ示す。
【図２９】上記メインスタンドの整流構造の流体解析結果を車両上下方向と直交する断面で示す作用説明図であり、（ａ）は本実施形態、（ｂ）は比較例をそれぞれ示す。
【発明を実施するための形態】
【００４５】
以下、本発明の実施形態について図面を参照して説明する。なお、以下の説明における前後左右等の向きは、特に記載が無ければ以下に説明する車両における向きと同一とする。また以下の説明に用いる図中適所には、車両前方を示す矢印ＦＲ、車両左方を示す矢印ＬＨ、車両上方を示す矢印ＵＰが示されている。
【００４６】
＜車両全体＞
図１に示すように、本実施形態の自動二輪車（鞍乗り型車両）１は、車体フレームＦの前端部にヘッドパイプ１３を備えている。ヘッドパイプ１３には、前輪ＷＦを軸支するフロントフォーク１１及び操向ハンドル１２が繰向可能に支持されている。車体フレームＦの下部には、スイング式動力ユニット（以下、パワーユニットＵという。）の前部下側が上下揺動可能に支持されている。自動二輪車１は、原動機であるエンジン（内燃機関）Ｅと駆動輪である後輪ＷＲとが車体フレームＦ（車体本体）に対して一体的に揺動するパワーユニットＵを備えたユニットスイング式の鞍乗り型車両である。
【００４７】
図３を併せて参照し、パワーユニットＵは、自動二輪車１の原動機であるエンジンＥを前部に、エンジンＥの出力を変速する変速機Ｍを後部左側に、それぞれ配置した一体のユニットである。変速機Ｍの後部には、駆動輪である後輪ＷＲの車軸（後輪車軸ＡＲ）が支持されている。パワーユニットＵの前部下側は、例えば車体フレームＦの下部の支持部に懸架リンク等を介して上下揺動可能に支持されている。パワーユニットＵの後端部は、緩衝装置であるリヤクッション９を介して、車体フレームＦの後端部に支持されている。図３中線ＣＬは車体左右中心を示す。
【００４８】
図１に示すように、車体フレームＦは、ヘッドパイプ１３から下後方へ延びるダウンフレーム１４と、ダウンフレーム１４の下端部から後方へ延びるロアフレーム１５と、ロアフレーム１５の後端部から後上方へ延びるリヤフレーム１６と、を備えている。リヤフレーム１６の前部には、パッセンジャー用の左右ステップ１９が不図示のブラケットを介して支持されている。パッセンジャー用の左右ステップ１９は、車幅方向外側に略水平に突出した使用状態と、後上がりに傾斜した折り畳み状態と、の間で回動可能である。図は折り畳み状態のステップ１９を示す。
【００４９】
車体フレームＦの周囲は、車体カバー２７で覆われている。車体カバー２７の後部上方には、乗員着座用の前後着座面を有するシート２８が支持されている。車体カバー２７は、シート２８に着座した運転者が足を載せるステップフロア２９と、ステップフロア２９の前方に連なるフロントボディＦＢと、ステップフロア２９の後方に連なるリヤボディＲＢと、を備えている。ステップフロア２９の上方でシート２８と操向ハンドル１２との間は、乗員が車体を跨ぎやすくする跨ぎ空間とされている。
【００５０】
リヤボディＲＢは、ステップフロア２９の上方に立ち上がる前部ＲＢ１と、前部ＲＢ１の上端部から後方へ延びる後部ＲＢ２と、を有し、側面視で概略Ｌ字状をなしている。リヤボディＲＢの前部ＲＢ１後方かつ後部ＲＢ２下方には、リヤボディＲＢ内のインナーカバー（不図示）およびリヤボディＲＢの後部ＲＢ２下面から下後方へ延びるリヤフェンダ３１によって、後輪ＷＲを揺動可能に収容するタイヤハウスＷＨが画定されている。図中符号３２はリヤボディＲＢの左右側面を形成するリヤサイドカバー、符号３２ａはリヤボディＲＢの前部ＲＢ１にけるリヤサイドカバー３２の後縁（以下、リヤボディＲＢの前部後縁という。）を示している。リヤボディＲＢの前部後縁３２ａは、側面視で後輪ＷＲのタイヤ前端（後輪ＷＲ最前端に相当）の前方に離間している。リヤボディＲＢの前部後縁３２ａには、折り畳み状態のステップ１９の後縁が重なるように配置されている。
【００５１】
ステップフロア２９は、例えば車体の低床部の左右幅に渡って平坦状をなし、低床部の略水平な上面（フロア面２９ａ）を形成している。なお、ステップフロア２９の左右中央に前後方向に延びるセンタートンネルを備える構成でもよい。
自動二輪車１は、運転者が足を載せるステップフロア２９を有するスクーター型車両である。ステップフロア２９の上面（足載せ面）２９ａは、側面視でやや後ろ上がりに傾斜している。ステップフロア２９の下面側の後部には、上面２９ａよりも急傾斜をなして後上がりに傾斜する下面後部２９ｂが形成されている。
【００５２】
＜パワーユニット＞
図１〜図３に示すように、パワーユニットＵは、前部のエンジンＥと後部左側で変速機Ｍを収容する変速機ケース３５とを一体に備えている。
エンジンＥは、不図示のクランクシャフトの回転中心軸線を左右方向（車幅方向）に沿わせた４ストローク単気筒エンジンであり、クランクケース２１の前端部からシリンダ部２２を前方に向けて略水平に（詳細にはやや前上がりに傾斜させて）突出させている。
【００５３】
クランクケース２１の左側部には、左方に張り出した後に後方に延出するリヤアームとしてのケース本体３６が一体形成されている。ケース本体３６は、車幅方向外側に開放し、この開放部分に、ケースカバー３７が車幅方向外側から取り付けられている。ケース本体３６およびケースカバー３７により、変速機Ｍを収容する変速機ケース３５が構成されている。
【００５４】
変速機Ｍは、変速機ケース３５の側面視の長さ方向に渡って収容されるベルト式無段変速機である。変速機Ｍは、変速機ケース３５の前部内に収容されてクランクシャフトと同軸に配置される駆動プーリーと、変速機ケース３５の後部内に収容される従動プーリーと、駆動プーリーおよび従動プーリーに渡って巻き掛けられる無端状のＶベルト（伝動ベルト）と、を備えている（何れも不図示）。変速機ケース３５の後部右側に突出する後輪車軸ＡＲ（出力軸）には、後輪ＷＲが一体回転可能に取り付けられる。
【００５５】
クランクケース２１の右側には、エンジンＥ冷却用のラジエータ２６が配置されている。ラジエータ２６の左右外側には、ルーバー付き開口を有するラジエータカバー２６ａが装着されている。
【００５６】
クランクケース２１の後部右側には、前後方向に延びる補助アーム３８の前端部が固定されている。補助アーム３８は、後端部に後輪車軸ＡＲの右端部を支持する。補助アーム３８は、変速機ケース３５とともに後輪ＷＲを支持するスイングアームを構成する。変速機ケース３５および補助アーム３８の各後端部には、左右一対のリヤクッション９の下端部が連結されている。左右リヤクッション９の上端部は、左右リヤフレーム１６の後端部にそれぞれ連結されている。図中符号３９はパワーユニットＵに一体揺動可能に取り付けられて後輪ＷＲの前上部を覆うインナーフェンダー、符号ＣＡは補助アーム３８の後部上方に支持されるキャリパをそれぞれ示す。
【００５７】
図３を参照し、エンジンＥのシリンダ部２２の上方には、吸気系部品としてのスロットルボディ２４が配置されている。スロットルボディ２４の下流側である前端部は、不図示のインシュレータを介してシリンダ部２２の上部（シリンダヘッドの吸気ポート）に接続されている。スロットルボディ２４の上流側である後端部は、エンジンＥに供給する外気をろ過するエアクリーナ２５が、コネクティングチューブ２５ａを介して接続されている。コネクティングチューブ２５ａは、スロットルボディ２４の後方において平面視で左方に屈曲し、変速機ケース３５の上方に配置されたエアクリーナ２５の前端部に接続されている。図中符号２５ｂはエアクリーナ２５内に収容されるエレメントを示している。
【００５８】
以下、エアクリーナ２５から吸気ポートに至るまでの部品を、エンジンＥへの吸気を行うための吸気部品と称する。吸気系部品の最上流に位置する吸気口２５ｃは、エアクリーナ２５の外側部に配置されている。吸気系部品は、キャブレターを含むものであってもよい。
【００５９】
シリンダ部２２の下部（シリンダヘッドの排気ポート）には、排気管４１が接続されている。排気管４１は、シリンダ部２２の下方で後方へ湾曲して延び、概ねラジエータ２６の下方位置で後上方かつ車幅方向外側に屈曲して延びる。排気管４１の後端部は、後輪ＷＲ右側に配置されたマフラー（消音器）４２の前端部に接続される。マフラー４２は、車幅方向で後輪ＷＲを挟んでエアクリーナ２５と反対側に配置されている。すなわち、マフラー４２は後輪ＷＲの右側方に配置され、エアクリーナ２５は後輪ＷＲの左側方に配置されている。
【００６０】
＜マフラー＞
図５〜図８に示すように、マフラー４２は、円筒状の外観をなすマフラー本体（消音器本体）４３と、マフラー本体４３の上方から車幅方向外側方に渡る範囲を覆うマフラーカバー（カバー部材）５１と、を備えている。
【００６１】
マフラー本体４３は、その中心軸線Ｃ１に沿って直線状に延び、後ろ上がりの傾斜姿勢で車体に搭載される。マフラー本体４３は、例えば中心軸線Ｃ１を車体側面と平行にして配置される。以下、側面視で軸線Ｃ１に沿う前後方向をマフラー前後方向、側面視で軸線Ｃ１と直交する上下方向をマフラー上下方向、ということがある。
【００６２】
マフラー本体４３は、中心軸線Ｃ１に沿う筒体４４と、筒体４４の前端部を閉塞するフロントキャップ４５と、筒体４４の後端部を閉塞するエンドキャップ４６と、を備えている。筒体４４は、内外筒４４ａ，４４ｂを有する二重管構造とされている。フロントキャップ４５は、後側ほど拡径するテーパー状をなし、前端部に排気管４１を接続している。図中符号４１ａは排気管４１におけるエンジンＥに接続される基端部を示す。エンドキャップ４６は、後側ほど縮径するテーパー状をなし、後端部に排気口を配置している。マフラー本体４３は、例えば筒体４４の内部空間をマフラー前後方向で複数の膨張室に区画し、かつ複数の膨張室を適宜連通させた基本構成を有している。
【００６３】
筒体４４の外周には、補助アーム３８への取り付け用の三つマウントブラケット４７ａ，４７ｂ，４７ｃ、およびマフラーカバー５１取り付け用の二つのカバーブラケット４８ａ，４８ｂが固定されている。各マウントブラケット４７ａ，４７ｂ，４７ｃは、例えば車幅方向に沿うボルトを用いて補助アーム３８に締結される。各カバーブラケット４８ａ，４８ｂは、例えばマフラー本体４３の径方向に沿うビスによってマフラーカバー５１を締結固定する。図示都合上、カバーブラケット４８ａ，４８ｂに締結するビスに符号を付することがある。
【００６４】
マフラー本体４３ひいてはマフラー４２は、その前端部を排気管４１に接続し、かつ複数のマウントブラケット４７ａ，４７ｂ，４７ｃを補助アーム３８に締結することで、パワーユニットＵに一体揺動可能に取り付けられる。図１、図２に示す自動二輪車１は、例えば空車１Ｇ状態を示している。図示状態において、マフラー４２は、軸線Ｃ１を後ろ上がりにした傾斜姿勢となる。
【００６５】
＜マフラーカバー＞
図５〜図８に示すように、マフラーカバー５１は、マフラー本体４３の前後端を越える長さを有して軸線Ｃ１方向に延びている。マフラーカバー５１は、マフラー本体４３の上方から車幅方向外側に渡る範囲を、概ね一定の隙間を空けて覆っている。
【００６６】
マフラーカバー５１におけるマフラー本体４３を上方から覆う上面部５２は、車幅方向内側に内側縁５２ａを形成している。内側縁５２ａは、平面視で、概ね軸線Ｃ１に沿って（詳細には後側ほど僅かに車幅方向内側に位置するように傾斜して）延びている。内側縁５２ａは、平面視で軸線Ｃ１よりも車幅方向内側に位置している。上面部５２におけるマウントブラケット４７ａに重なる部位には、マウントブラケット４７ａ近傍を上方から覆う内側庇部５２ｂが車幅方向内側に突出している。
【００６７】
上面部５２は、内側庇部５２ｂを形成する部位において、側面視で軸線Ｃ１に対して上向き（前上がり、後ろ下がり）に傾斜し、かつマウントブラケット４７ａよりも前方では軸線Ｃ１に対して下向き（前下がり、後ろ上がり）に傾斜している。以下、これらの傾斜部の内、後者（マウントブラケット４７ａよりも前方の傾斜部）を後ろ上がり傾斜部５３と称し、前者（内側庇部５２ｂを形成する部位）を後ろ下がり傾斜部５４と称する。後ろ上がり傾斜部５３の前端５３ａは、マフラー本体４３の前端よりも前方に位置している。後ろ上がり傾斜部５３の前端５３ａは、側面視で軸線Ｃ１よりも上方に位置している。後ろ上がり傾斜部５３の車幅方向内側の内側縁部５３ｂには、後述する整流構造６１が形成されている。
【００６８】
上面部５２における両傾斜部５３，５４により隆起した隆起部５５には、側面視で隆起部５５に合わせて前後に長い三角形状の開口部５５ａが形成されている。開口部５５ａは、隆起部５５の内側を車幅方向に貫通し、マウントブラケット４７ａに対する車幅方向外側からの締結作業を可能とする。上面部５２の後端は、マフラー本体４３の後端部（エンドキャップ４６）よりもマフラー前後方向で後方に位置している。上面部５２の後端部には、側面視で軸線Ｃ１に対して下向きに傾斜した後端庇部５６が形成されている。
【００６９】
マフラーカバー５１におけるマフラー本体４３を側方から覆う側面部５７は、下方側に軸線Ｃ１に沿う後ろ上がりの下縁５７ａを形成している。下縁５７ａは、側面視で軸線Ｃ１よりも下方に位置している。下縁５７ａの後端は、側面視でマフラー本体４３の後端部（エンドキャップ４６）と重なる位置まで延びている。側面部５７の後端部には、平面視で軸線Ｃ１に対して車幅方向内側に傾斜した側面傾斜部５８が形成されている。側面傾斜部５８は、後端庇部５６と連続的に形成され、これらがマフラーカバー５１の後端部をテーパー状に縮径させている。側面傾斜部５８の後端縁５８ａは、側面視で下縁５７ａの後端から上方へ、マフラー上下方向に対して上側ほど後方に位置するように傾斜して延びている。側面傾斜部５８の後端縁５８ａは、上面部５２の後端庇部５６の後端縁５６ａに連なっている。上面部５２の後端縁５６ａおよび側面部５７の後端縁５８ａは、マフラーカバー５１の連続した後端縁を形成している。
【００７０】
下縁５７ａの前部５７ｄは、側面視でマフラー本体４３の前端部（フロントキャップ４５）よりも後側で上向きに屈曲するとともに、平面視で車幅方向内側に向けて屈曲している。下縁５７ａの前部の車幅方向内側への傾斜に応じて、側面部５７の前部５７ｅが平面視で車幅方向内側に向けて傾斜している。下縁５７ａの前端５７ｂは、マフラー本体４３の前端部よりも前方に位置している。下縁５７ａの前端５７ｂは、側面視で軸線Ｃ１よりも上方に位置している。下縁５７ａの前端５７ｂからは、上方かつ車幅方向内側に向けて前端縁５７ｃが延びている。前端縁５７ｃは、側面視ではマフラー上下方向に対して上側ほど前方に位置するように傾斜している。前端縁５７ｃは、後ろ上がり傾斜部５３の前端５３ａに接続されている。前端縁５７ｃは、マフラーカバー５１の前端縁でもある。
【００７１】
＜整流構造＞
図２〜図４に示すように、マフラーカバー５１の前上部（前記後ろ上がり傾斜部５３）には、走行風を受けて規定の流速を発生させるための整流構造６１が設けられている。整流構造６１は、リヤボディＲＢの下後方における後輪ＷＲを配置するタイヤハウスＷＨの右側方に流れの速い渦流を流し、渦流がもつ負圧によってタイヤハウスＷＨ内の空気を吸い出すカナードとして機能する。これにより、タイヤハウスＷＨ内の正圧の発生を抑えるとともに、後輪ＷＲに連れ回る空気の乱流による周辺部品への影響を抑える。
【００７２】
図８は、側面視で整流構造６１の長手方向と直交する断面を示している。
整流構造６１は、マフラーカバー５１の後ろ上がり傾斜部５３において、側面視で後輪ＷＲの接線方向に延びるように断面Ｌ字状の壁部を設けている。例えば、整流構造６１は、側面視で後ろ上がり傾斜部５３に沿って延びる溝状をなしている。整流構造６１は、側面視で後ろ上がりに傾斜して延び、走行風を受ける走行風受け面６２ａを形成する傾斜部６２と、傾斜部６２に沿って延び、走行風受け面６２ａから均等な高さで上方へ突出するリブ状の突出部６３と、を備えている。整流構造６１は、側面視で後ろ上がりに傾斜するとともに、平面視では後方に向かうにつれて車幅方向内側に位置するように傾斜している。
【００７３】
整流構造６１は、側面視三角形状の隆起部５５の前後の傾斜部（後ろ上がり傾斜部５３および後ろ下がり傾斜部５４）の内、後ろ上がり傾斜部５３に設けられている。整流構造６１は、後ろ下がり傾斜部５３の車幅方向内側の内側縁部５３ｂに、傾斜部６２とリブ６３とを設けている。リブ６３は、傾斜部６２の車幅方向内側の内側縁から上方に屈曲して延びている。リブ６３は、後ろ上がり傾斜部５３に沿って延在している。
【００７４】
後ろ下がり傾斜部５４の車幅方向内側には、マウントブラケット４７ａ近傍を上方から覆う内側庇部５２ｂが面一状に突設されている。内側庇部５２ｂは、後ろ上がり傾斜部５３よりも後方に（後ろ上がり傾斜部５３を前後方向で避けるように）設けられている。整流構造６１は、後ろ下がり傾斜部５４よりも前方に（後ろ下がり傾斜部５４を前後方向で避けるように）設けられている。整流構造６１を形成する部位が後ろ上がり傾斜部５３であり、内側庇部５２ｂを形成する部位が後ろ下がり傾斜部５４である。内側庇部５２ｂと整流構造６１とは、前後方向で互いに分離している。
【００７５】
整流構造６１に沿って流れた走行風は、後ろ上がり傾斜部５３の後端から後ろ上がり傾斜部５３の延長方向に流れる。この走行風は、後述する気流制御に供される。後ろ上がり傾斜部５３の後端後方には、後ろ下がり傾斜部５４が連なっている。後ろ上がり傾斜部５３に沿って流れた走行風の一部は、後ろ下がり傾斜部５４に沿って流れる。これにより、後ろ上がり傾斜部５３の後端での走行風の剥離が抑えられる。後ろ下がり傾斜部５４の車幅方向内側には、内側庇部５２ｂが面一状に突設されている。これにより、整流構造６１の後方で走行風が車幅方向内側に広がっても、この走行風が内側庇部５２ｂに沿って流れる。したがって、後ろ上がり傾斜部５３の後端での走行風の剥離が抑えられる。整流構造６１と内側庇部５２ｂとは、前後方向で互いに分離している。これにより、整流構造６１および内側庇部５２ｂが前後の傾斜部５３，５４に渡って連続する場合に比べて、形状が簡単になって成形性が向上する。
【００７６】
整流構造６１は、側面視で、後輪ＷＲの前端部と重なる位置に配置されている。整流構造６１は、図２の側面視で、例えば後輪ＷＲのホイール外周の接線方向に沿うように後ろ上がりに傾斜している。整流構造６１は、側面視で、例えば前上方に凸の緩やかな湾曲状をなしている。整流構造６１は、側面視で、ステップフロア２９の下面後部２９ｂの後ろ上がりの傾斜よりも急傾斜をなして延びている。整流構造６１は、側面視で、マフラー本体４３の傾斜よりも急傾斜をなして延びている。整流構造６１は、側面視で、マフラー本体４３の前上端の角部４３ａに対し、角部４３ａよりも前下方の位置から角部４３ａよりも後上方の位置に渡って設けられている。整流構造６１は、側面視で、マフラーカバー５１の上縁の延長線と交差するように設けられている。整流構造６１は、側面視で、リヤボディＲＢの前部後縁３２ａの後方に離間している。本段落の説明は、「整流構造６１」を「後ろ上がり傾斜部５３」に読み替えることもできる。
【００７７】
整流構造６１が設けられるマフラー４２の前部は、マフラー本体４３およびマフラーカバー５１の各前部を含んでいる。マフラー４２の前部は、側面視で、後輪ＷＲの前端部（例えば後輪車軸ＡＲの高さでホイール前端とタイヤ前端との間の範囲）と重なるように配置されている。図２の１Ｇ状態において、後輪ＷＲの前端部は、ステップフロア２９の下面後部２９ｂよりも上方に位置している。
【００７８】
側面視で整流構造６１とリヤボディＲＢの前部後縁３２ａとの間には、ラジエータカバー２６ａの開口が配置されている。側面視でラジエータカバー２６ａの開口よりも下方には、ラジエータカバー２６ａの開口の下方を迂回するように排気管４１が配置されている。排気管４１の後端部は、側面視で後輪ＷＲの前端部の下方でマフラー本体４３の前端部に接続されている。
【００７９】
整流構造６１（およびマフラー４２全体）は、平面視で、後輪ＷＲの右端面よりも右側方に離間して配置されている。整流構造６１は、平面視で、後側ほど車幅方向内側に位置するように、車両前後方向に対して傾斜している。整流構造６１は、平面視で、例えば車幅方向外側かつ後方に凸の湾曲状をなしている。換言すれば、後ろ上がり傾斜部５３の車幅方向内側の内側縁部５３ｂは、平面視で凹状に形成されている。整流構造６１は、平面視で、マフラー本体４３の前端部と交差するように配置されている。整流構造６１は、平面視で、マフラー本体４３の軸線Ｃ１よりも車幅方向外側に配置されている。整流構造６１は、平面視で、マフラー本体４３の左右幅内に配置されている。
【００８０】
図８に示すように、整流構造６１の断面視において、突出部６３は、傾斜部６２の車幅方向内側に位置するほど高さを増すように形成されている。突出部６３は、傾斜部６２の車幅方向内側ほど高さを増す走行風ガイド面６３ａを形成している。これにより、突出部６３に案内される走行風が安定して流れやすくなる。本実施形態の整流構造６１の突出部６３は、傾斜部６２と連続するように円弧状の断面形状をなして延在している。
【００８１】
図９（ａ）は突出部６３の根本に略直角の隅部ＣＮが形成される場合（比較例）を示し、図９（ｂ）は突出部６３の根本に傾斜面Ｓ１が形成される場合（比較例）を示し、図９（ｃ）は突出部６３の根本に湾曲面Ｓ２が形成される場合（本実施形態）を示している。
【００８２】
図９（ａ）の例では、突出部６３の根本の隅部ＣＮ内で旋回する渦が生じるので、走行風の整流の妨げになりやすい。図９（ｂ）の例では、突出部６３の根本の傾斜面Ｓ１で走行風がせり上がるので、図９（ａ）のような渦の発生が抑えられ、傾斜部６２と突出部６３とに渡る規定の渦流が発生しやすい。図９（ｃ）の例では、傾斜部６２と突出部６３とに渡る円弧状の湾曲面Ｓ２に沿って走行風がせり上がるので、図９（ｂ）の例よりもさらに渦流が発生しやすい。
【００８３】
傾斜部６２と突出部６３とに渡る定常流（整流構造６１内で旋回する渦流）は、整流構造６１の延在方向に沿って流れることで、強い指向性をもった螺旋流となって、後輪ＷＲのタイヤハウスＷＨの側方を通過する。このとき、渦流がもつ負圧によって、タイヤハウスＷＨ内の乱流を引き出す効果が得られる。
【００８４】
＜作用＞
次に、本実施形態の整流構造６１の作用について説明する。
自動二輪車１の走行時、後輪ＷＲのタイヤハウスＷＨ内には、後輪ＷＲが空気を巻き上げることにより乱流が生じる。後輪ＷＲが巻き上げて連れ回る空気は、パワーユニットＵやリヤフェンダ３１等に衝突した後、車体側方に膨らむ気流となる。また、タイヤハウスＷＨ内の乱流は、タイヤハウスＷＨの周辺部品に影響を与えることがある。例えば、エアクリーナ２５側面の気流が車幅方向外側に押し出されると、安定した吸気の阻害要因になる。つまり、エアクリーナ２５の吸気口２５ｃ周辺の気流を乱し、吸気量を低下させる要因になる。
【００８５】
これに対し、図１０、図１１に示すように、エアクリーナ２５と反対側のマフラー４２側では、タイヤハウスＷＨの前部側方に位置する整流構造６１の走行風受け面６２ａに走行風Ｗ１が当たり、この走行風が傾斜部６２および突出部６３に案内されて、流れが速くかつ細かな縦渦Ｗ２を発生させる。整流構造６１は、走行風Ｗ１を整流して流速を高めた縦渦Ｗ２を発生し、この縦渦Ｗ２を後輪ＷＲおよびタイヤハウスＷＨの側方に指向性をもって流す。これにより、タイヤハウスＷＨ内で発生する乱流を積極的にマフラー４２側へ引き出し（矢印Ｗ３）、マフラー４２と反対側（エアクリーナ２５側）への乱流の押し出しを軽減して、吸気系部品の吸気効率の低下を抑える。
【００８６】
すなわち、本実施形態では、車幅方向でエアクリーナ２５（吸気口２５ｃ）と反対側のマフラー４２側にタイヤハウスＷＨ内の気流を引き出し、エアクリーナ２５側の気流が吸気口２５ｃから離れることを抑制することで、吸気系部品の吸気効率を高める（吸気量を確保する）ことができる。
例えば後輪ＷＲのインナーフェンダー３９に気流制御用の突出部等を設ける場合にも、この突出部等を小型化して外観自由度を高めることができる。気流制御用に別途ハガーフェンダー等を設けることを不要とし、コストおよび重量の増加を抑えることができる。
【００８７】
図２２〜図２４は、整流構造６１の作用を比較例とともに示す図である。図２２は整流構造６１の前端位置に相当する断面図、図２３は整流構造６１の前後中間位置に相当する断面図、図２４は整流構造６１を過ぎた後方位置に相当する断面図をそれぞれ示す。また、図２５、図２６は、整流構造６１の流体解析結果を比較例とともに示す図であり、それぞれ図２２、図２４に相当する。各図（ａ）は整流構造６１を備える実施形態、各図（ｂ）は整流構造６１を備えない比較例をそれぞれ示す。
【００８８】
図２２（ｂ）〜図２４（ｂ）ならびに図２５（ｂ）、図２６（ｂ）に示す比較例において、マフラー４２周辺に至った走行風Ｗ１は、マフラーカバー５１周辺を流れる際、以下の作用を生じさせる。すなわち、実施形態の整流構造６１に対応する位置（マフラーカバー５１の前上部の後ろ上がり傾斜部５３）を流れる走行風Ｗ１は、突出部６３のようなガイドがないことから、車幅方向内側のタイヤハウスＷＨ内から押し出される気流Ｗ３とぶつかることで渦Ｗ２’を生じさせる。この渦Ｗ２’は、整流構造６１に対応する位置を過ぎても続き（図２４（ｂ）、図２６（ｂ）参照）、やがてマフラー４２と車幅方向で反対側に位置するエアクリーナ２５の吸気にも影響を与える虞がある。
【００８９】
これに対し、図２２（ａ）〜図２４（ａ）ならびに図２５（ａ）、図２６（ａ）に示す実施形態において、マフラー４２周辺に至った走行風Ｗ１は、マフラーカバー５１周辺を流れる際、以下の作用を生じさせる。すなわち、整流構造６１を流れる走行風Ｗ１は、タイヤハウスＷＨの右側方に流れの速い渦流Ｗ２となって流れ、この渦流Ｗ２がもつ負圧によってタイヤハウスＷＨ内から押し出される気流Ｗ３を吸い出す。これにより、タイヤハウスＷＨ内の空気がマフラー４２側へスムーズに流れる。この渦流Ｗ２は、整流構造６１を過ぎた後方位置でも続き（図２４（ａ）、図２６（ａ）参照）、マフラー４２と車幅方向で反対側に位置するエアクリーナ２５の吸気への影響を抑える。整流構造６１よりも後方では、比較例のような渦Ｗ２’はなく、車両後方へ向かう流れのみとなる。
【００９０】
以上説明したように、上記実施形態における鞍乗り型車両の整流構造は、後輪ＷＲの側方にエンジンＥの排気の消音を行うマフラー４２を備える自動二輪車１の整流構造６１において、前記マフラー４２は、マフラー本体４３と、前記マフラー本体４３に取り付けられるマフラーカバー５１と、を備え、マフラーカバー５１は、車両前後方向に対して傾斜して延び、走行風を受ける走行風受け面６２ａを形成する傾斜部６２と、前記傾斜部６２に沿って延び、前記走行風受け面６２ａから上方へ突出する突出部６３と、を備えている。
この構成によれば、傾斜部６２の走行風受け面６２ａに沿って流れる走行風は、突出部６３によって案内され、規定の方向へ指向性をもって流れる。このように指向性をもった走行風を、後輪ＷＲの側方（タイヤハウスＷＨの側方）に流すことで、タイヤハウスＷＨ内の空気を後輪ＷＲ側方へ引き出す効果を得る。タイヤハウスＷＨ内の空気は、後輪ＷＲに連れ回って流れることで乱流を生じさせるが、この乱流を後輪ＷＲ側方へ引き出すことで、後輪ＷＲ周り（特にエアクリーナ吸気口２５ｃ周り）への気流の影響を抑えることができる。
【００９１】
上記鞍乗り型車両の整流構造において、前記マフラー４２は、軸線Ｃ１に沿って延び、前記マフラー４２の上面部５２は、側面視で前記軸線Ｃ１に対して後上がりに傾斜する後ろ上がり傾斜部５３を備え、前記後ろ上がり傾斜部５３は、前記傾斜部６２および突出部６３を備えて前記整流構造６１を構成している。
この構成によれば、後ろ上がり傾斜部５３に整流構造６１を備えるので、走行風受け面６２ａを形成しやすくなる。走行風受け面６２ａに沿って流れる走行風は、突出部６３によって案内され、規定の方向へ指向性をもって流すことができる。
【００９２】
上記鞍乗り型車両の整流構造において、前記後ろ上がり傾斜部５３の車幅方向内側の内側縁部５３ｂには、前記整流構造６１における前記傾斜部６２から上方に屈曲して延びるリブ状の前記突出部６３が設けられている。
この構成によれば、後ろ上がり傾斜部５３の内側縁部５３ｂに、整流構造６１のリブ状の突出部６３を備えるので、走行風の車幅方向内側への広がりが抑えられる。これにより、走行風受け面６２ａに沿って流れる走行風を、車幅方向内側へ広がることを抑えた上で、規定の方向へ指向性をもって流すことができる。
【００９３】
上記鞍乗り型車両の整流構造において、前記後ろ上がり傾斜部５３の後方に連なり、側面視で前記軸線Ｃ１に対して後ろ下がりに傾斜する後ろ下がり傾斜部５４を備え、前記整流構造６１は、前記後ろ下がり傾斜部５４を避けて前記後ろ上がり傾斜部５３に設けられている。
この構成によれば、前後の傾斜部５３，５４の内の後ろ上がり傾斜部５３のみに整流構造６１を設けるので、整流構造６１を成形しやすくなる。整流構造６１を前後の傾斜部５３，５４に渡って設けると、整流構造６１およびその周辺の形状が複雑になる。後ろ下がり傾斜部５４を避けて整流構造６１を設けることで、整流構造６１等の形状を簡単にして成形しやすくすることができる。
【００９４】
上記鞍乗り型車両の整流構造において、前記後ろ下がり傾斜部５４の車幅方向内側には、前記後ろ上がり傾斜部５３を避けて、内側庇部５２ｂが面一状に突設されている。
この構成によれば、後ろ下がり傾斜部５４の車幅方向内側に面一状の内側庇部５２ｂを設けるので、整流構造６１の後方で走行風が剥離し難くなる。走行風が整流構造６１の後方で車幅方向内側に広がると、この走行風が内側庇部５２ｂに沿って流れやすくなる。内側庇部５２ｂは後ろ上がり傾斜部５３を避けて設けられるので、内側庇部５２ｂを成形しやすくなる。内側庇部５２ｂを前後の傾斜部５３，５４に渡って設けると、内側庇部５２ｂおよびその周辺の形状が複雑になる。後ろ上がり傾斜部５３を避けて内側庇部５２ｂを設けることで、内側庇部５２ｂ等の形状を簡単にして成形しやすくすることができる。内側庇部５２ｂは整流構造６１と前後方向で分離するので、この点でも内側庇部５２ｂおよび整流構造６１等の形状を簡単にして成形しやすくすることができる。
【００９５】
上記鞍乗り型車両の整流構造において、前記自動二輪車１は、前記エンジンＥと前記後輪ＷＲとが車体フレームＦに対して一体的に揺動するパワーユニットＵを備えている。
この構成によれば、パワーユニットＵにはエアクリーナ２５等の各種補機類が搭載されるため、タイヤハウスＷＨ内の乱流による影響が大きいが、この乱流を後輪ＷＲ側方へ引き出すことで、補機類への気流の影響を抑えることができる。
【００９６】
上記鞍乗り型車両の整流構造において、前記エンジンＥへの吸気を行う吸気系部品にエアクリーナ２５を備え、前記エアクリーナ２５は、最上流に位置する吸気口２５ｃを備え、前記マフラー４２は、前記後輪ＷＲの一側方に配置され、前記吸気口２５ｃは、前記後輪ＷＲの他側方に配置されている。
この構成によれば、後輪ＷＲを挟んでマフラー４２と吸気口２５ｃとを振り分けて配置することで、マフラー４２の傾斜部６２および突出部６３によってタイヤハウスＷＨ内の空気を後輪ＷＲ側方へ引き出す側が、吸気系部品の吸気口２５ｃと反対側となる。タイヤハウスＷＨ内の空気が後輪ＷＲに連れ回って後輪ＷＲ側方へ押し出される側に吸気口２５ｃがあると、吸気系部品の吸気量に影響を与えることがある。これに対し、タイヤハウスＷＨ内の空気を引き出す側が吸気口２５ｃと反対側となるので、引き出される気流が吸気口２５ｃに影響を与えず、かつ吸気口２５ｃ側に押し出される気流も減少する。これにより、吸気系部品の吸気効率を良好に維持することができる。また、吸気系部品の吸気への排気熱の影響を抑えることができる。
【００９７】
上記鞍乗り型車両の整流構造において、前記傾斜部６２および突出部６３は、車両側面視にて、後方に向かうにつれて上方に位置するように傾斜している。
この構成によれば、傾斜部６２および突出部６３に沿って走行風を上方に流すことで、タイヤハウスＷＨ内の乱流を外側に引き出すことができる。すなわち、タイヤハウスＷＨ内において、上方側では車体カバー２７等との間に巻き込み風が発生しやすいため、走行風を上方に向けて流すことで、タイヤハウスＷＨ内の乱流を効果的に抑えることができる。
【００９８】
上記鞍乗り型車両の整流構造において、前記傾斜部６２および突出部６３は、車両上面視にて、後方に向かうにつれて車幅方向内側に位置するように傾斜している。
この構成によれば、タイヤハウスＷＨ内では空気が後輪ＷＲに連れ回ることで乱流となりやすいため、走行風を車幅方向内側（後輪ＷＲ側）に向けて流すことで、後輪ＷＲ周辺の空気を後輪ＷＲ側方へ引き出しやすくし、タイヤハウスＷＨ内の乱流を効果的に抑えることができる。
【００９９】
上記鞍乗り型車両の整流構造において、前記突出部６３は、前記傾斜部６２の車幅方向内側に向かうにつれて上方に位置するように形成されている。
この構成によれば、傾斜部６２の上方に起立する突出部６３が車幅方向内側ほど上方に位置するので、突出部６３に案内される走行風が規定の渦流を生じやすくなり、タイヤハウスＷＨ内の乱流を効果的に抑えることができる。
【０１００】
上記鞍乗り型車両の整流構造において、前記傾斜部６２および突出部６３は、円弧状の断面形状をなして延びている。
この構成によれば、傾斜部６２および突出部６３が円弧状の断面形状をなしているので、突出部６３に案内される気流がより一層規定の渦流を生じやすくなり、タイヤハウスＷＨ内の乱流をより効果的に抑えることができる。
【０１０１】
＜第二実施形態＞
次に、本発明の第二実施形態について、図１２〜図１９を参照して説明する。
この実施形態は、上記した実施形態（第一実施形態）に対して、ラジエータカバー（カバー部材）２６ａおよびメインスタンド７５にも整流構造７１，８１を備える点で特に異なる。その他の、第一実施形態と同一構成には同一符号を付して詳細説明は省略する。
【０１０２】
自動二輪車において、エンジンＥの駆動により不図示のクランクシャフトが回転し、クランクシャフトの右端部に取り付けた不図示の冷却ファンが回転すると、ラジエータカバー２６ａの外気取入口６５からカバー内側に外気が取り入れられる。この外気がカバー内側のラジエータ２６に供給されることで、ラジエータ２６を流れる冷却水が冷却されてエンジン冷却に供される。
【０１０３】
図１２に示すように、ラジエータカバー２６ａは、前記クランクケース２１の右側に配置されたラジエータ２６（図３参照）を、車幅方向外側から覆うように設けられている。ラジエータカバー２６ａは、クランクケース２１の右端部に対し、例えば上部締結部６６ａ、後部締結部６６ｂおよび前部締結部６６ｃの三か所において、車幅方向外側から螺着したボルト等により締結固定されている。ラジエータカバー２６ａの後端部は、クランクケース２１よりも後方に張り出し、側面視で後輪ＷＲの前端部と重なるように配置されている。図中線Ｒ１は路面を示す。
【０１０４】
図１３を併せて参照し、ラジエータカバー２６ａは、上部締結部６６ａ、後部締結部６６ｂおよび前部締結部６６ｃに囲まれた範囲に、外気取入口６５を形成している。以下、ラジエータカバー２６ａの車体取り付け状態の姿勢（図１２に示す姿勢）の側面視形状について説明する。
【０１０５】
外気取入口６５を形成する部位（以下、カバー本体部２６ｂという。）は、略水平（水平を含む）に配置される第一辺部６７ａと、第一辺部６７ａの前端部から前上方へ延びる第二辺部６７ｂと、第一辺部６７ａの後端部から後上方へ延びる第三辺部６７ｃと、第二辺部６７ｂの上端部から後上方へ延びる第四辺部６７ｄと、第三辺部６７ｃの上端部から前上方へ延びる第五辺部６７ｅと、第四辺部６７ｄおよび第五辺部６７ｅの各上端部間に渡る第六辺部６７ｆと、を有する六角形状をなしている。第二辺部６７ｂは第三辺部６７ｃよりも短く、第四辺部６７ｄは第五辺部６７ｅよりも長い。第三辺部６７ｃと第四辺部６７ｄとは互いに略平行（平行を含む）とされる。第六辺部６７ｆは第一辺部６７ａに対して前下がりに傾斜している。
【０１０６】
第六辺部６７ｆの上方には、上方に延びる上方延出部６８ａが形成されている。上方延出部６８ａの上部には、上部締結部６６ａが形成されている。
第一辺部６７ａの下方から第三辺部６７ｃの上下中間部に渡る範囲の後下方には、後下方に延びる後下方延出部６８ｂが形成されている。後下方延出部６８ｂには、上部に後部締結部６６ｂが形成され、後部締結部６６ｂの下方に後述する整流構造７１および止水壁７３が形成されている。
第四辺部６７ｄの下部の前上方には、前上方に延びる前上方延出部６８ｃが形成されている。前上方延出部６８ｃには、前部締結部６６ｃが形成されている。
【０１０７】
図１４〜図１６を併せて参照し、ラジエータカバー２６ａは、全体的に車幅方向内側に開放するトレー状をなしている。以下、ラジエータカバー２６ａにおける車幅方向と略直交（直交を含む）する壁部をカバー側壁部６９ａ、カバー側壁部６９ａの周縁部から車幅方向内側に起立する壁部をカバー周壁部６９ｂ、という。
カバー本体部２６ｂの後部は、前部に残存するカバー側壁部６９ａに対して車幅方向外側に隆起している。カバー本体部２６ｂの後部は、カバー側壁部６９ａを形成する前部に対して、後上方ほど車幅方向外側に張り出すように（深さを増すように）形成されている。
【０１０８】
カバー本体部２６ｂの後部外側部は、車幅方向と直交する平面（図１４、図１５に線ＦＳで示す）に対して前下向きに傾斜した傾斜平面に沿うように形成されている。前記傾斜平面は、第二辺部６７ｂ周辺が最も車幅方向内側に位置し、第三辺部６７ｃおよび第五辺部６７ｅの間の後端角部６７ｇが最も車幅方向外側に位置するように傾斜している。
【０１０９】
カバー本体部２６ｂの後部外側部には、第一辺部６７ａに長手方向を沿わせて延びる第一導風壁６７ｗａ、第三辺部６７ｃに長手方向を沿わせて延びる第三導風壁６７ｗｃ、第五辺部６７ｅに長手方向を沿わせて延びる第五導風壁６７ｗｅ、および第六辺部６７ｆに長手方向を沿わせて延びる第六導風壁６７ｗｆが、それぞれ車幅方向外側に起立して形成されている。各導風壁６７ｗａ，６７ｗｃ，６７ｗｅ，６７ｗｆは、起立先端が前記傾斜平面に沿うように傾斜している。各導風壁６７ｗａ，６７ｗｃ，６７ｗｅ，６７ｗｆは、各々の長手方向と交差する断面視で（図１５参照）、各導風壁６７ｗａ，６７ｗｃ，６７ｗｅ，６７ｗｆの内側を向く内側面よりも各導風壁６７ｗａ，６７ｗｃ，６７ｗｅ，６７ｗｆの外側を向く外側面が起立方向（車幅方向）に対して傾斜し、起立先端側ほど先細りとなるように形成されている。
【０１１０】
図１３を参照し、外気取入口６５は、カバー本体部２６ｂの前部のカバー側壁部６９ａに形成される前部取入口６５ａと、カバー本体部２６ｂの後部の外側部に形成される後部取入口６５ｂと、を備えている。
前部取入口６５ａは、第四辺部６７ｄと一辺を略平行にして形成される矩形状の第一開口部６５ａ１と、前端開口部の後上方および後下方の各辺と略平行に形成される複数のスリット状の第二開口部６５ａ２と、を備えている。前部取入口６５ａの前半部分は、車体取り付け状態の側面視でリヤサイドカバー３２と重なっている（リヤサイドカバー３２に車幅方向外側から覆われている。図１２参照。）。
【０１１１】
後部取入口６５ｂは、第一辺部６７ａの上方かつ第三辺部６７ｃの前方に位置する平行四辺形状の下部開口部６５ｂ１と、第五辺部６７ｅの前方かつ第六辺部６７ｆの下方に位置する平行四辺形状の上部開口部６５ｂ２と、を備えている。下部開口部６５ｂ１および上部開口部６５ｂ２の間には、第六辺部６７ｆと略平行な区画壁６５ｃが設けられている。区画壁６５ｃは、第三辺部６７ｃおよび第五辺部６７ｅの間の後端角部６７ｇからカバー本体部２６ｂの前部のカバー側壁部６９ａの中央近傍まで延びている。
【０１１２】
後部取入口６５ｂは、複数の羽板６５ｄを有するルーバー６５ｅを備えている。各羽板６５ｄは、第三辺部６７ｃと略平行な下羽板６５ｄ１と、第五辺部６７ｅと略平行な上羽板６５ｄ２と、を備えている。各羽板６５ｄは、下羽板６５ｄ１と上羽板６５ｄ２とを連続させることで、側面視で後方に凸のＶ字状をなしている。各羽板６５ｄの下羽板６５ｄ１および上羽板６５ｄ２間の屈曲部は、区画壁６５ｃに接続、支持されている。各羽板６５ｄは、車幅方向に対し、車幅方向外側ほど前側に位置するように傾斜している（図１５、図１６参照）。
【０１１３】
図１３〜図１６を参照し、後下方延出部６８ｂには、後部締結部６６ｂの下方に整流構造７１および止水壁７３が形成されている。
整流構造７１は、後下方延出部６８ｂにおける後上がりの傾斜後縁に長手方向を沿わせるように延びるビード部（突条部）７２を備えている。ビード部７２は、第一辺部６７ａおよび第三辺部６７ｃの間の後下角部６７ｈに近接するように配置されている。ビード部７２は、第一辺部６７ａおよび第三辺部６７ｃの何れに対しても傾斜している。ビード部７２の下部は、後下方延出部６８ｂの下端近傍で屈曲して傾斜を寝かしている。ビード部７２は、マフラー４２の整流構造６１の前下方に位置している（図１２参照）。
【０１１４】
ビード部７２は、長手方向と交差する断面視で三角形状の山形をなしている（図１５参照）。ビード部７２は、後下方延出部６８ｂの残余の外側部よりも車幅方向外側に突出している。ビード部７２は、後輪前端位置Ｐｆｒよりも前方に位置し、後輪中心高さＰｃｔよりも下方に位置している（図１２参照）。ビード部７２における車両前方を向く前傾斜面７２ｂは、車両走行時に走行風を受ける走行風受け面７２ａとなる。
【０１１５】
係る構成において、自動二輪車１が走行し、ラジエータカバー２６ａの整流構造７１の走行風受け面７２ａに走行風が当たると、この走行風が走行風受け面７２ａに沿って流れる。
図１９、図２０に示すように、走行風受け面７２ａは、予め定めた方向（第二実施形態では車幅方向外側かつマフラー４２下方）に向けて走行風Ｗ１を流す。すなわち、走行風受け面７２ａは、走行風Ｗ１を予め定めた方向へ指向性をもって流す。走行風受け面７２ａに案内された走行風Ｗ１を符号Ｗ１’で示す。
【０１１６】
図１３〜図１６を参照し、止水壁７３は、ビード部７２の上端高さに配置される第一単位止水壁７３ａと、ビード部７２の下部の屈曲位置の高さに配置される第二単位止水壁７３ｂと、を備えている。各単位止水壁７３ａ，７３ｂは、車幅方向と略平行な板状をなし、側面視で第三辺部６７ｃと略直交する角度に配置されている。各単位止水壁７３ａ，７３ｂは、互いに平行をなし、かつ互いに上下方向で離間している。
【０１１７】
図１２を参照し、各単位止水壁７３ａ，７３ｂは、車体取り付け状態の側面視で後下がりに傾斜している。各単位止水壁７３ａ，７３ｂは、後輪前端位置Ｐｆｒよりも前方に位置し、後輪中心高さＰｃｔよりも下方に位置している。
図１３〜図１６に戻り、第一単位止水壁７３ａは、前端を第三導風壁ｗｃに接続し、第二単位止水壁７３ｂは、前端を第一導風壁６７ｗａに接続している。第一単位止水壁７３ａは、第二単位止水壁７３ｂよりも車幅方向の起立高さが高い。各単位止水壁７３ａ，７３ｂは、起立先端が前記傾斜平面に位置するように、起立高さを互いに異ならせている。
【０１１８】
係る構成において、自動二輪車１が走行して路面Ｒ１から雨水等が跳ね上がると、この雨水等がステップフロア２９の後方で後輪ＷＲおよびマフラー４２の周囲に飛散し、後輪ＷＲおよびマフラー４２周辺の汚れを助長する虞がある。これに対し、ステップフロア２９の後方で後輪ＷＲおよびマフラー４２の前方に、壁面を前下方に向けた止水壁７３を備えることで、以下の効果がある。
【０１１９】
図１９に示すように、跳ね上がった雨水等ＷＯが後輪ＷＲおよびマフラー４２に至ろうとしても、その途中で止水壁７３の下向きの壁面に衝突して落下する。これにより、後輪ＷＲおよびマフラー４２周辺の汚れが抑えられる。
特に、跳ね上がった雨水等ＷＯがマフラー４２の整流構造６１に至ると、整流構造６１で発生した流れの速い渦流によって飛散しやすくなる。これに対し、後輪ＷＲおよびマフラー４２の前方に止水壁７３を備えることで、跳ね上がった雨水等ＷＯによる後輪ＷＲおよびマフラー４２周辺の汚れが効果的に抑えられる。
【０１２０】
図１２に示すように、自動二輪車１の車体下部（例えばパワーユニットＵの下部）には、車体を直立した起立状態で支持するメインスタンド７５を備えている。メインスタンド７５は、パワーユニットＵの下部に設けたスタンドブラケット７６に、車幅方向に延びる揺動軸７７を介して揺動可能に支持されている。
【０１２１】
図１７、図１８を併せて参照し、メインスタンド７５は、揺動軸７７を挿通する基部７５ａと、基部７５ａの左右側部から車幅方向外側に広がるように斜めに延びる左右一対の支持脚７５ｂｌ，７５ｂｒと、を備えている。図中符号７５ｃは左右支持脚７５ｂｌ，７５ｂｒの基部７５ａ側の間に渡る連結部、符号７５ｄは左右支持脚７５ｂｌ，７５ｂｒの各々の先端に固定される左右一対の接地プレート、符号７５ｅは左支持脚７５ｂｌの先端側の車幅方向外側に延びるスタンド操作アーム、をそれぞれ示す。
【０１２２】
メインスタンド７５は、揺動軸７７を中心に揺動可能であり、側面視で左右支持脚７５ｂｌ，７５ｂｒを前後方向に延ばすように配置した格納位置と、側面視で左右支持脚７５ｂｌ，７５ｂｒを上下方向に延ばすように配置した使用位置と、の間で揺動する（図１２参照）。図１２では格納位置にあるメインスタンド７５を実線で示し、使用位置にあるメインスタンド７５を鎖線で示す。メインスタンド７５が格納位置にあるとき、左右接地プレート７５ｄが地面から離間し、自動二輪車１を走行可能とする。メインスタンド７５が使用位置にあるとき、左右接地プレート７５ｄが接地し、自動二輪車１を直立した起立状態に支持する。
【０１２３】
メインスタンド７５は、右支持脚７５ｂｒの先端側に、整流構造８１を備えている。整流構造８１は、右支持脚７５ｂｒの先端側ほど広がるテーパー部８２を備えている。テーパー部８２は、例えば右支持脚７５ｂｒとは別体の傘状の部材を、右支持脚７５ｂｒに溶接固定することで構成される。テーパー部８２は、支持脚先端側の開放端８２ｃを、接地プレート７５ｄの車幅方向の外側端７５ｄ１と同等位置まで広げている。テーパー部８２の先端側の開放端８２ｃは、接地プレート７５ｄとの間に、車両前後方向で隙間を形成している。
【０１２４】
図１２を参照し、メインスタンド７５が格納位置にあるとき、テーパー部８２は、後輪前端位置Ｐｆｒよりも後方かつ後輪中心高さＰｃｔよりも前方に位置し、後輪中心高さＰｃｔおよびマフラー４２よりも下方に位置している。メインスタンド７５が格納位置にあるとき、テーパー部８２は、側面視で後輪ＷＲと重なる位置にある。メインスタンド７５が格納位置にあるとき、テーパー部８２の外周面（車両前方を向く傾斜面）８２ｂは、車両走行時に走行風を受ける走行風受け面８２ａとなる。
【０１２５】
係る構成において、自動二輪車１が走行し、メインスタンド７５の整流構造８１の走行風受け面８２ａに走行風が当たると、この走行風が走行風受け面８２ａに沿って流れる。
図１９、図２０に示すように、走行風受け面８２ａは、予め定めた方向（第二実施形態では車幅方向外側かつマフラー４２下方）に向けて走行風Ｗ１を流す。すなわち、走行風受け面８２ａは、走行風Ｗ１を予め定めた方向へ指向性をもって流す。走行風受け面８２ａに案内された走行風Ｗ１を符号Ｗ１”で示す。
【０１２６】
図２１は、マフラー４２に設けた整流構造６１、ラジエータカバー２６ａに設けた整流構造７１およびメインスタンド７５に設けた整流構造８１によって、後輪ＷＲの右側方に生じる、流速の速い領域（すなわち圧力の低い領域）Ａ６，Ａ７，Ａ８を示している。各整流構造６１，７１，８１により、後輪ＷＲの右側方には、上下に渡って広く分散した低圧領域が生じる。
【０１２７】
図２７、図２８は、整流構造７１の流体解析結果を比較例とともに示す図である。図２７は整流構造７１の前後中間位置に相当する断面図、図２８は整流構造７１を過ぎた後方位置に相当する断面図をそれぞれ示す。各図（ａ）は整流構造７１を備える実施形態、各図（ｂ）は整流構造７１を備えない比較例をそれぞれ示す。
図２７（ｂ）に示すように、整流構造７１を備えない比較例の方が、ラジエータカバー２６ａの下面側の領域Ａ１の流速が高いことが分かる。
図２８（ｂ）に示すように、整流構造７１を備えない比較例の方が、マフラー４２の車幅方向内側（整流構造７１の延長方向）の領域Ａ２における後輪ＷＲのホイール側へ向かう流れが多いことが分かる。
【０１２８】
図２９は、整流構造８１の流体解析結果を比較例とともに示す図であり、エアクリーナ２５と交差する高さの断面図である。（ａ）は整流構造８１を備える実施形態、（ｂ）は整流構造８１を備えない比較例をそれぞれ示す。
図２９（ａ）に示すように、後輪ＷＲの右側（整流構造８１側）の領域Ａ３における走行風の流速は、後輪ＷＲの左側（エアクリーナ２５側）の領域Ａ４の走行風の流速よりも速いことが分かる。
【０１２９】
図２０を参照し、マフラー４２側に生じる低圧領域により、タイヤハウスＷＨ内で発生する乱流が広範囲で後輪ＷＲ右側方へ引き出される（矢印Ｗ３）。これにより、後輪ＷＲ左側方に位置するエアクリーナ２５側への乱流の押し出しが軽減され、吸気系部品の吸気効率の低下が抑えられる。エアクリーナ２５の周囲には、マフラー４２側の気流Ｗ２，Ｗ１’，Ｗ１”に対して相対的に遅い気流Ｗ４が生じている。
【０１３０】
以上説明したように、第二実施形態における鞍乗り型車両の整流構造は、車両側面視で少なくとも一部が後輪ＷＲと重なるラジエータカバー２６ａを備え、前記ラジエータカバー２６ａに、走行風受け面７２ａを形成する整流構造７１を備えている。
この構成によれば、ラジエータカバー２６ａの整流構造７１の走行風受け面７２ａに沿って流れる走行風は、予め定めた方向に案内されて指向性をもって流れる。このように指向性をもった走行風を、例えば後輪ＷＲの側方（タイヤハウスＷＨの側方）に流すことで、タイヤハウスＷＨ内の空気を後輪ＷＲ側方へ引き出す等の効果を得る。このように、車両側面視で後輪ＷＲと重なるラジエータカバー２６ａに整流構造７１を設けて気流を制御することで、後輪ＷＲ周りに生じる乱流を抑えることができる。
【０１３１】
また、第二実施形態における鞍乗り型車両の整流構造は、車両側面視で少なくとも一部が後輪ＷＲと重なるメインスタンド７５を備え、前記メインスタンド７５に、走行風受け面８２ａを形成する整流構造８１を備えている。
この構成によれば、メインスタンド７５の整流構造８１の走行風受け面８２ａに沿って流れる走行風は、予め定めた方向に案内されて指向性をもって流れる。このように指向性をもった走行風を、例えば後輪ＷＲの側方（タイヤハウスＷＨの側方）に流すことで、タイヤハウスＷＨ内の空気を後輪ＷＲ側方へ引き出す等の効果を得る。この構成においても、車両側面視で後輪ＷＲと重なるメインスタンド７５に整流構造８１を設けて気流を制御することで、後輪ＷＲ周りに生じる乱流を抑えることができる。
【０１３２】
なお、本発明は上記実施形態に限られるものではなく、例えば、整流構造が消音器本体に設けられてもよい。すなわち、整流構造は、消音器本体およびカバー部材の少なくとも一方に設けられていればよい。ステップフロアを有するスクーター型車両やユニットスイング式車両に限らず、後輪の側方に消音器を備えた鞍乗り型車両に広く適用可能である。鞍乗り型車両が左右二本出しの消音器を備える場合、両方の消音器に整流構造を設けてもよい。又、ラジエータを一体的に取り付けるビルトインラジエータ式エンジンに限らず、ラジエータ別体のエンジンのエンジンカバー部材に整流構造を設けてもよい。
前記鞍乗り型車両には、運転者が車体を跨いで乗車する車両全般が含まれ、自動二輪車（原動機付自転車及びスクーター型車両を含む）のみならず、三輪（前一輪かつ後二輪の他に、前二輪かつ後一輪の車両も含む）又は四輪の車両も含まれる。
そして、上記実施形態における構成は本発明の一例であり、実施形態の構成要素を周知の構成要素に置き換える等、本発明の要旨を逸脱しない範囲で種々の変更が可能である。
【符号の説明】
【０１３３】
１  自動二輪車（鞍乗り型車両）
ＷＲ  後輪
Ｅ  エンジン（内燃機関）
Ｆ  車体フレーム
Ｕ  パワーユニット（スイングユニット）
２５  エアクリーナ（吸気系部品）
２５ｃ  吸気口
２６  ラジエータ
２６ａ  ラジエータカバー（車両側面視で後輪と重なる部材、カバー部材）
４２  マフラー（車両側面視で後輪と重なる部材、消音器）
４３  マフラー本体（消音器本体）
５１  マフラーカバー（カバー部材）
５２  上面部
５２ｂ  内側庇部
５３  後上がり傾斜部
５３ｂ  内側縁部
５４  後ろ下がり傾斜部
６１，７１，８１  整流構造
６２  傾斜部
６２ａ，７２ａ，８２ａ  走行風受け面
６３  突出部
７２  ビード部（突条部）
７５  メインスタンド（車両側面視で後輪と重なる部材、スタンド）
７５ｂｒ  右支持脚（支持脚）
７５ｄ  接地プレート
７５ｄ１  外側端
８２  テーパー部
８２ｃ  開放端
Ｃ１  軸線
【図１】
2020161938.tif 000003
【図２】
2020161938.tif 000004
【図３】
2020161938.tif 000005
【図４】
2020161938.tif 000006
【図５】
2020161938.tif 000007
【図６】
2020161938.tif 000008
【図７】
2020161938.tif 000009
【図８】
2020161938.tif 000010
【図９】
2020161938.tif 000011
【図１０】
2020161938.tif 000012
【図１１】
2020161938.tif 000013
【図１２】
2020161938.tif 000014
【図１３】
2020161938.tif 000015
【図１４】
2020161938.tif 000016
【図１５】
2020161938.tif 000017
【図１６】
2020161938.tif 000018
【図１７】
2020161938.tif 000019
【図１８】
2020161938.tif 000020
【図１９】
2020161938.tif 000021
【図２０】
2020161938.tif 000022
【図２１】
2020161938.tif 000023
【図２２】
2020161938.tif 000024
【図２３】
2020161938.tif 000025
【図２４】
2020161938.tif 000026
【図２５】
2020161938.tif 000027
【図２６】
2020161938.tif 000028
【図２７】
2020161938.tif 000029
【図２８】
2020161938.tif 000030
【図２９】
2020161938.tif 000031
【手続補正書】
【提出日】令和2年6月2日(2020.6.2)
【手続補正１】
【補正対象書類名】特許請求の範囲
【補正対象項目名】全文
【補正方法】変更
【補正の内容】
【特許請求の範囲】
【請求項１】
（削除）
【請求項２】
車両側面視で後輪（ＷＲ）と少なくとも一部が重なるように前記後輪（ＷＲ）の側方に配置され、内燃機関（Ｅ）から排出された排気の消音を行う消音器（４２）を備え、
前記消音器（４２）は、走行風を受ける走行風受け面（６２ａ）を形成する整流構造（６１）を備え、
前記整流構造（６１）は、前記走行風受け面（６２ａ）に沿って流れる走行風を予め定めた方向に案内するものであり、
前記消音器（４２）は、車両前後方向に対して傾斜して延び、前記走行風受け面（６２ａ）を形成する傾斜部（６２）と、前記傾斜部（６２）に沿って延び、前記走行風受け面（６２ａ）から上方へ突出する突出部（６３）と、を備えて前記整流構造（６１）を構成し、
前記消音器（４２）は、軸線（Ｃ１）に沿って延び、
前記消音器（４２）の上面部（５２）は、側面視で前記軸線（Ｃ１）に対して後上がりに傾斜する後ろ上がり傾斜部（５３）と、前記後ろ上がり傾斜部（５３）の後方に連なり、側面視で前記軸線（Ｃ１）に対して後ろ下がりに傾斜する後ろ下がり傾斜部（５４）と、を備え、
前記整流構造（６１）は、前記後ろ下がり傾斜部（５４）を避けて前記後ろ上がり傾斜部（５３）に設けられている鞍乗り型車両の整流構造。
【請求項３】
（削除）
【請求項４】
前記後ろ上がり傾斜部（５３）の車幅方向内側の内側縁部（５３ｂ）には、前記整流構造（６１）における前記傾斜部（６２）から上方に屈曲して延びるリブ状の前記突出部（６３）が設けられている請求項２に記載の鞍乗り型車両の整流構造。
【請求項５】
（削除）
【請求項６】
前記後ろ下がり傾斜部（５４）の車幅方向内側には、前記後ろ上がり傾斜部（５３）を避けて、内側庇部（５２ｂ）が面一状に突設されている請求項２又は４に記載の鞍乗り型車両の整流構造。
【請求項７】
前記消音器（４２）は、消音器本体（４３）と、前記消音器本体（４３）に取り付けられるカバー部材（５１）と、を備え、
前記傾斜部（６２）および突出部（６３）は、前記消音器本体（４３）およびカバー部材（５１）の少なくとも一方に設けられている請求項２，４，６の何れか一項に記載の鞍乗り型車両の整流構造。
【請求項８】
前記鞍乗り型車両（１）は、前記内燃機関（Ｅ）と前記後輪（ＷＲ）とが車体フレーム（Ｆ）に対して一体的に揺動するスイングユニット（Ｕ）を備えている請求項２，４，６，７の何れか一項に記載の鞍乗り型車両の整流構造。
【請求項９】
前記内燃機関（Ｅ）への吸気を行う吸気系部品（２５）を備え、
前記吸気系部品（２５）は、最上流に位置する吸気口（２５ｃ）を備え、
前記消音器（４２）は、前記後輪（ＷＲ）の一側方に配置され、前記吸気口（２５ｃ）は、前記後輪（ＷＲ）の他側方に配置されている請求項２，４，６から８の何れか一項に記載の鞍乗り型車両の整流構造。
【請求項１０】
前記傾斜部（６２）および突出部（６３）は、車両側面視にて、後方に向かうにつれて上方に位置するように傾斜している請求項２，４，６から９の何れか一項に記載の鞍乗り型車両の整流構造。
【請求項１１】
前記傾斜部（６２）および突出部（６３）は、車両上面視にて、後方に向かうにつれて車幅方向内側に位置するように傾斜している請求項２，４，６から１０の何れか一項に記載の鞍乗り型車両の整流構造。
【請求項１２】
前記突出部（６３）は、前記傾斜部（６２）の車幅方向内側に向かうにつれて上方に位置するように形成されている請求項２，４，６から１１の何れか一項に記載の鞍乗り型車両の整流構造。
【請求項１３】
前記傾斜部（６２）および突出部（６３）は、円弧状の断面形状をなして延びている請求項２，４，６から１２の何れか一項に記載の鞍乗り型車両の整流構造。
【請求項１４】
前記鞍乗り型車両のパワーユニット（Ｕ）に取り付けられ、車両側面視で後輪（ＷＲ）と少なくとも一部が重なるカバー部材（２６ａ）を備え、
前記カバー部材（２６ａ）に、前記走行風受け面（７２ａ）を形成する整流構造（７１）を備え、
前記整流構造（７１）は、前記カバー部材（２６ａ）における後上がりの傾斜縁に長手方向を沿わせるように延びる突条部（７２）を備えている鞍乗り型車両の整流構造。
【請求項１５】
（削除）
【請求項１６】
前記突条部（７２）は、長手方向と交差する断面視で三角形状の山形をなしている請求項１４に記載の鞍乗り型車両の整流構造。
【請求項１７】
車両側面視で後輪（ＷＲ）と少なくとも一部が重なるスタンド（７５）を備え、
前記スタンド（７５）に、走行風を受ける走行風受け面（８２ａ）を形成する整流構造（８１）を備えている鞍乗り型車両の整流構造。
【請求項１８】
前記整流構造（８１）は、前記スタンド（７５）の支持脚（７５ｂｒ）に、前記支持脚（７５ｂｒ）の先端側ほど広がるテーパー部（８２）を備え、
前記テーパー部（８２）は、支持脚先端側の開放端（８２ｃ）を、接地プレート（７５ｄ）の車幅方向の外側端（７５ｄ１）と同等位置まで広げている請求項１７に記載の鞍乗り型車両の整流構造。
【請求項１９】
前記鞍乗り型車両のパワーユニット（Ｕ）に内燃機関（Ｅ）を備え、
前記整流構造（６１）に対して、車幅方向で前記後輪（ＷＲ）を挟んだ反対側には、前記内燃機関（Ｅ）に供給する外気をろ過するエアクリーナ（２５）の吸気口（２５ｃ）を備えている請求項２，４，６から１３の何れか一項に記載の鞍乗り型車両の整流構造。
【国際調査報告】
2020161938.tif 000032
2020161938.tif 000033
2020161938.tif 000034
2020161938.tif 000035